(57)【要約】本開示は、ＲＭＳＩのＣＯＲＥＳＥＴの周波数領域情報を示すための方法及び装置、ＲＭＳＩのＣＯＲＥＳＥＴの検索方法及び装置、基地局、ユーザ装置並びにコンピュータ可読記憶媒体に関する。ここで、ＲＭＳＩのＣＯＲＥＳＥＴの周波数領域情報を示すための方法は、同期信号ブロック（ＳＳＢ）の物理ブロードキャストチャネル（ＰＢＣＨ）に指示情報を追加することであって、該指示情報が第一の指示情報を含み、第一の指示情報が、該ＳＳＢに対応するＲＭＳＩのＣＯＲＥＳＥＴと該ＳＳＢが時間分割多重化又は周波数分割多重化されることを示すことに用いられることと、ユーザ装置（ＵＥ）へ前記指示情報を運ぶＳＳＢとＲＭＳＩ  ＣＯＲＥＳＥＴをビーム走査方式で送信することと、を含む。本開示の実施例は、ＲＭＳＩのＣＯＲＥＳＥＴの周波数領域情報をできるだけ少ないビット（ｂｉｔ）で示すことができる。【選択図】図１
2021501545.tif 000002
【特許請求の範囲】
【請求項１】
基地局に適用するための、残りの最小システム情報（ＲＭＳＩ）の共通制御リソースセット（ＣＯＲＥＳＥＴ）の周波数領域情報を示すための方法であって、
同期信号ブロック（ＳＳＢ）の物理ブロードキャストチャネル（ＰＢＣＨ）に指示情報を追加することであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられることと、
ユーザ装置（ＵＥ）へ前記指示情報を運ぶＳＳＢと前記ＲＭＳＩのＣＯＲＥＳＥＴをビーム走査方式で送信することと、を含む、前記方法。
【請求項２】
前記第一の指示情報が、前記ＳＳＢに対応するＲＭＳＩのＣＯＲＥＳＥＴと前記ＳＳＢが周波数分割多重化されることを示す場合、前記指示情報は、さらに第二の指示情報を含み、前記第二の指示情報が、前記ＲＭＳＩのＣＯＲＥＳＥＴの位置する帯域幅パーティションを示すことに用いられ、ここで、前記ＲＭＳＩのＣＯＲＥＳＥＴの位置する帯域幅パーティションが前記ＳＳＢの位置する帯域幅パーティションと異なり、前記帯域幅パーティションが一定の周波数帯域幅を有するリソース単位を指すことを特徴とする
請求項１に記載の方法。
【請求項３】
前記第一の指示情報が前記ＳＳＢに対応するＲＭＳＩのＣＯＲＥＳＥＴと前記ＳＳＢが周波数分割多重化されることを示す場合、前記指示情報はさらに第三の指示情報を含み、前記第三の指示情報が、周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であり、又は周波数領域で前記ＳＳＢの高周波ＲＥと前記ＲＭＳＩのＣＯＲＥＳＥＴの低周波ＲＥとの間の間隔内のＲＥの数が第二の設定値であることを示すことに用いられることを特徴とする
請求項１に記載の方法。
【請求項４】
前記第一の設定値が０であり、前記第二の設定値が０であることを特徴とする
請求項３に記載の方法。
【請求項５】
ユーザ装置（ＵＥ）に適用するための、残りの最小システム情報（ＲＭＳＩ）の共通制御リソースセット（ＣＯＲＥＳＥＴ）の検索方法であって、
基地局から送信された、指示情報を含む同期信号ブロック（ＳＳＢ）を受信することであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられることと、
前記ＳＳＢから前記指示情報を解析し、前記指示情報に基づいて対応する周波数領域で前記ＲＭＳＩのＣＯＲＥＳＥＴを検索することと、を含む、前記方法。
【請求項６】
前記第一の指示情報が、前記ＳＳＢに対応するＲＭＳＩのＣＯＲＥＳＥＴと前記ＳＳＢが時間分割多重化されることを示す場合、前記指示情報に基づいて対応する周波数領域で前記ＲＭＳＩのＣＯＲＥＳＥＴを検索することは、
前記ＳＳＢの位置する中心周波数に基づいて前記ＲＭＳＩのＣＯＲＥＳＥＴを検索することを含むことを特徴とする
請求項５に記載の方法。
【請求項７】
前記指示情報がさらに前記ＲＭＳＩのＣＯＲＥＳＥＴの位置する帯域幅パーティションを示すための第二の指示情報を含み、且つ前記ＲＭＳＩのＣＯＲＥＳＥＴの位置する帯域幅パーティションが前記ＳＳＢの位置する帯域幅パーティションと異なる場合、前記指示情報に基づいて対応する周波数領域で前記ＲＭＳＩのＣＯＲＥＳＥＴを検索することは、
受信されたＳＳＢに対応する帯域幅パーティション以外の帯域幅パーティションで前記ＲＭＳＩのＣＯＲＥＳＥＴを検索し、前記帯域幅パーティションが一定の周波数帯域幅を有するリソース単位を指すことを含むことを特徴とする
請求項５に記載の方法。
【請求項８】
前記指示情報がさらに周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であることを示すための第三の指示情報を含む場合、前記指示情報に基づいて対応する周波数領域で前記ＲＭＳＩのＣＯＲＥＳＥＴを検索することは、
受信されたＳＳＢに対応する周波数領域よりも低い周波数領域で前記ＲＭＳＩのＣＯＲＥＳＥＴを検索することを含むことを特徴とする
請求項５に記載の方法。
【請求項９】
前記指示情報がさらに周波数領域で前記ＳＳＢの高周波ＲＥと前記ＲＭＳＩのＣＯＲＥＳＥＴの低周波ＲＥとの間の間隔内のＲＥの数が第二の設定値であることを示すための第三の指示情報を含む場合、前記指示情報に基づいて対応する周波数領域で前記ＲＭＳＩのＣＯＲＥＳＥＴを検索することは、
受信されたＳＳＢに対応する周波数領域よりも高い周波数領域で前記ＲＭＳＩのＣＯＲＥＳＥＴを検索することを含むことを特徴とする
請求項５に記載の方法。
【請求項１０】
基地局に適用するための、残りの最小システム情報（ＲＭＳＩ）の共通制御リソースセット（ＣＯＲＥＳＥＴ）の周波数領域情報を示すための指示装置であって、
同期信号ブロック（ＳＳＢ）の物理ブロードキャストチャネル（ＰＢＣＨ）に指示情報を追加するように構成される追加モジュールであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられる追加モジュールと、
ユーザ装置（ＵＥ）へ前記追加モジュールによって追加された前記指示情報を運ぶＳＳＢと前記ＲＭＳＩのＣＯＲＥＳＥＴをビーム走査方式で送信するように構成される送信モジュールと、を備える、前記装置。
【請求項１１】
前記第一の指示情報が前記ＳＳＢに対応するＲＭＳＩのＣＯＲＥＳＥＴと前記ＳＳＢが周波数分割多重化されることを示す場合、前記指示情報はさらに第二の指示情報を含み、前記第二の指示情報が前記ＲＭＳＩのＣＯＲＥＳＥＴの位置する帯域幅パーティションを示すことに用いられ、ここで、前記ＲＭＳＩのＣＯＲＥＳＥＴの位置する帯域幅パーティションが前記ＳＳＢの位置する帯域幅パーティションと異なり、前記帯域幅パーティションが一定の周波数帯域幅を有するリソース単位を指すことを特徴とする
請求項１０に記載の装置。
【請求項１２】
前記第一の指示情報が前記ＳＳＢに対応するＲＭＳＩのＣＯＲＥＳＥＴと前記ＳＳＢが周波数分割多重化されることを示す場合、前記指示情報はさらに第三の指示情報を含み、前記第三の指示情報が、周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であり、又は周波数領域で前記ＳＳＢの高周波ＲＥと前記ＲＭＳＩのＣＯＲＥＳＥＴの低周波ＲＥとの間の間隔内のＲＥの数が第二の設定値であることを示すことに用いられることを特徴とする
請求項１０に記載の装置。
【請求項１３】
前記第一の設定値が０であり、前記第二の設定値が０であることを特徴とする
請求項１２に記載の装置。
【請求項１４】
ユーザ装置（ＵＥ）に適用するための、残りの最小システム情報（ＲＭＳＩ）の共通制御リソースセット（ＣＯＲＥＳＥＴ）を検索するための装置であって、
基地局から送信された、指示情報を含む同期信号ブロック（ＳＳＢ）を受信するように構成される受信モジュールであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられる受信モジュールと、
前記受信モジュールによって受信された前記ＳＳＢから前記指示情報を解析し、前記指示情報に基づいて対応する周波数領域で前記ＲＭＳＩのＣＯＲＥＳＥＴを検索するように構成される解析及び検索モジュールと、を備える、前記装置。
【請求項１５】
前記第一の指示情報が、前記ＳＳＢに対応するＲＭＳＩのＣＯＲＥＳＥＴと前記ＳＳＢが時間分割多重化されることを示す場合、前記解析及び検索モジュールは、
前記ＳＳＢの位置する中心周波数に基づいて前記ＲＭＳＩのＣＯＲＥＳＥＴを検索するように構成される第一の検索ユニットを含むことを特徴とする
請求項１４に記載の装置。
【請求項１６】
前記指示情報がさらに前記ＲＭＳＩのＣＯＲＥＳＥＴの位置する帯域幅パーティションを示すための第二の指示情報を含み、且つ前記ＲＭＳＩのＣＯＲＥＳＥＴの位置する帯域幅パーティションが前記ＳＳＢの位置する帯域幅パーティションと異なる場合、前記解析及び検索モジュールは、
受信されたＳＳＢに対応する帯域幅パーティション以外の帯域幅パーティションで前記ＲＭＳＩのＣＯＲＥＳＥＴを検索するように構成され、前記帯域幅パーティションが一定の周波数帯域幅を有するリソース単位を指す第二の検索ユニットを含むことを特徴とする
請求項１４に記載の装置。
【請求項１７】
前記指示情報がさらに周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であることを示すための第三の指示情報を含む場合、前記解析及び検索モジュールは、
受信されたＳＳＢに対応する周波数領域よりも低い周波数領域で前記ＲＭＳＩのＣＯＲＥＳＥＴを検索するように構成される第三の検索ユニットを含むことを特徴とする
請求項１４に記載の装置。
【請求項１８】
前記指示情報がさらに周波数領域で前記ＳＳＢの高周波ＲＥと前記ＲＭＳＩのＣＯＲＥＳＥＴの低周波ＲＥとの間の間隔内のＲＥの数が第二の設定値であることを示すための第三の指示情報を含む場合、前記解析及び検索モジュールは、
受信されたＳＳＢに対応する周波数領域よりも高い周波数領域で前記ＲＭＳＩのＣＯＲＥＳＥＴを検索するように構成される第四の検索ユニットを含むことを特徴とする
請求項１４に記載の装置。
【請求項１９】
基地局であって、
プロセッサと、
プロセッサで実行可能な命令を記憶するように構成されるメモリと、を備え、
前記プロセッサは、
同期信号ブロック（ＳＳＢ）の物理ブロードキャストチャネル（ＰＢＣＨ）に指示情報を追加することであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられることと、
ユーザ装置（ＵＥ）へ前記指示情報を運ぶＳＳＢと前記ＲＭＳＩのＣＯＲＥＳＥＴをビーム走査方式で送信することと、を実行するように構成される、前記基地局。
【請求項２０】
ユーザ装置であって、
プロセッサと、
プロセッサで実行可能な命令を記憶するように構成されるメモリと、を備え、
前記プロセッサは、
基地局から送信された、指示情報を含む同期信号ブロック（ＳＳＢ）を受信することであって、前記指示情報が第一の指示情報を含み、前記第一の指示情報が前記ＳＳＢに対応するＲＭＳＩのＣＯＲＥＳＥＴと前記ＳＳＢが時間分割多重化又は周波数分割多重化されることを示すことに用いられることと、
前記ＳＳＢから前記指示情報を解析し、前記指示情報に基づいて対応する周波数領域で前記ＲＭＳＩのＣＯＲＥＳＥＴを検索することと、を実行するように構成される、前記ユーザ装置。
【請求項２１】
コンピュータ命令を記憶しているコンピュータ可読記憶媒体であって、
前記コンピュータ命令がプロセッサによって実行される時に、請求項１に記載の残りの最小システム情報（ＲＭＳＩ）の共通制御リソースセット（ＣＯＲＥＳＥＴ）の周波数領域情報を示すための方法のステップを実現する、前記コンピュータ可読記憶媒体。
【請求項２２】
コンピュータ命令を記憶しているコンピュータ可読記憶媒体であって、
前記コンピュータ命令がプロセッサによって実行される時に、請求項５に記載の残りの最小システム情報（ＲＭＳＩ）の共通制御リソースセット（ＣＯＲＥＳＥＴ）の周波数領域情報を示すための方法のステップを実現する、前記コンピュータ可読記憶媒体。
【発明の詳細な説明】
【技術分野】
【０００１】
本開示は、通信技術分野に関し、特に残りの最小システム情報（ＲＭＳＩ：Ｒｅｍａｉｎｉｎｇ  Ｍｉｎｉｍｕｍ  Ｓｙｓｔｅｍ  Ｉｎｆｏｒｍａｔｉｏｎ）の共通制御リソースセット（ＣＯＲＥＳＥＴ：Ｃｏｍｍｏｎ  ｃｏｎｔｒｏｌ  ｒｅｓｏｕｒｃｅ  ｓｅｔ）の周波数領域情報を示すための方法及び装置、ＲＭＳＩのＣＯＲＥＳＥＴを検索するための方法及び装置、基地局、ユーザ装置（ＵＥ：Ｕｓｅｒ  Ｅｑｕｉｐｍｅｎｔ）並びにコンピュータ可読記憶媒体に関する。
【背景技術】
【０００２】
最近の第３世代パートナーシッププロジェクト（３ＧＰＰ）の議論では、どのように物理ブロードキャストチャネル（ＰＢＣＨ：Ｐｈｙｓｉｃａｌ  ｂｒｏａｄｃａｓｔ  ｃｈａｎｎｅｌ）で残りの最小システム情報（ＲＭＳＩ）の共通制御リソースセット（ＣＯＲＥＳＥＴ）の時間周波数位置を示すかが解決すべき重要な問題であると提案される。現在のＰＢＣＨはＲＭＳＩのＣＯＲＥＳＥＴ指示情報のための約８ビット（ｂｉｔ）の長さのみを予約し、且つその中の１〜２ビットが将来の使用のために予約される必要がある可能性があるため、これは、ブロードバンドシステムでＲＭＳＩのＣＯＲＥＳＥＴの周波数領域位置をどのように示すかに対して大きなチャレンジを課し、また、現在、複数の同期信号ブロック（ＳＳＢ：Ｓｙｎｃｈｒｏｎｉｚａｔｉｏｎ  Ｓｉｇｎａｌ  Ｂｌｏｃｋ）が１つのＲＭＳＩに対応することができるという結論もあり、これにより、周波数領域位置の指示の難易度がさらに高くなる。また、ＰＢＣＨチャネルの時間領域結合を考慮する必要があるため、各ビーム（ｂｅａｍ）に対応するＳＳＢのＰＢＣＨの内容が一致するように求められ、これにより、ＲＭＳＩのＣＯＲＥＳＥＴの周波数領域指示自由度がさらに制限され、指示の難易度が高くなる。
【発明の概要】
【発明が解決しようとする課題】
【０００３】
これに鑑みて、本出願は、ＲＭＳＩのＣＯＲＥＳＥＴの周波数領域情報をできるだけ少ないビットで示すことを実現するように、ＲＭＳＩのＣＯＲＥＳＥＴの周波数領域情報を示すための方法及び装置、ＲＭＳＩのＣＯＲＥＳＥＴの検索方法及び装置、基地局、ユーザ装置並びにコンピュータ可読記憶媒体を開示する。
【課題を解決するための手段】
【０００４】
本開示の実施例の第一の態様によれば、残りの最小システム情報（ＲＭＳＩ）の共通制御リソースセット（ＣＯＲＥＳＥＴ）の周波数領域情報を示すための方法が提供され、基地局に応用され、前記方法は、
同期信号ブロック（ＳＳＢ）の物理ブロードキャストチャネル（ＰＢＣＨ）に指示情報を追加することであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられることと、
ユーザ装置（ＵＥ）へ前記指示情報を運ぶＳＳＢと前記ＲＭＳＩのＣＯＲＥＳＥＴをビーム走査方式で送信することと、を含む。
【０００５】
一実施例では、前記第一の指示情報が前記ＳＳＢに対応するＲＭＳＩのＣＯＲＥＳＥＴと前記ＳＳＢが周波数分割多重化されることを示す場合、前記指示情報はさらに第二の指示情報を含み、前記第二の指示情報が前記ＲＭＳＩのＣＯＲＥＳＥＴの位置する帯域幅パーティションを示すことに用いられ、ここで、前記ＲＭＳＩのＣＯＲＥＳＥＴの位置する帯域幅パーティションが前記ＳＳＢの位置する帯域幅パーティションと異なり、前記帯域幅パーティションが一定の周波数帯域幅を有するリソース単位を指す。
【０００６】
一実施例では、前記第一の指示情報が前記ＳＳＢに対応するＲＭＳＩのＣＯＲＥＳＥＴと前記ＳＳＢが周波数分割多重化されることを示す場合、前記指示情報はさらに第三の指示情報を含み、前記第三の指示情報が、周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であり、又は周波数領域で前記ＳＳＢの高周波ＲＥと前記ＲＭＳＩのＣＯＲＥＳＥＴの低周波ＲＥとの間の間隔内のＲＥの数が第二の設定値であることを示すことに用いられる。
【０００７】
一実施例では、前記第一の設定値が０であり、前記第二の設定値が０である。
【０００８】
本開示の実施例の第二の態様によれば、残りの最小システム情報（ＲＭＳＩ）の共通制御リソースセット（ＣＯＲＥＳＥＴ）を検索するための方法が提供され、ユーザ装置（ＵＥ）に応用され、前記方法は、
基地局から送信された、指示情報を含む同期信号ブロック（ＳＳＢ）を受信することであって、前記指示情報が第一の指示情報を含み、前記第一の指示情報が前記ＳＳＢに対応するＲＭＳＩのＣＯＲＥＳＥＴと前記ＳＳＢが時間分割多重化又は周波数分割多重化されることを示すことに用いられることと、
前記ＳＳＢから前記指示情報を解析し、前記指示情報に基づいて対応する周波数領域で前記ＲＭＳＩのＣＯＲＥＳＥＴを検索することと、を含む。
【０００９】
一実施例では、前記第一の指示情報が前記ＳＳＢに対応するＲＭＳＩのＣＯＲＥＳＥＴと前記ＳＳＢが時間分割多重化されることを示す場合、前記指示情報に基づいて対応する周波数領域で前記ＲＭＳＩのＣＯＲＥＳＥＴを検索することは、
前記ＳＳＢの位置する中心周波数に基づいて前記ＲＭＳＩのＣＯＲＥＳＥＴを検索することを含む。
【００１０】
一実施例では、前記指示情報がさらに前記ＲＭＳＩのＣＯＲＥＳＥＴの位置する帯域幅パーティションを示すための第二の指示情報を含み、且つ前記ＲＭＳＩのＣＯＲＥＳＥＴの位置する帯域幅パーティションが前記ＳＳＢの位置する帯域幅パーティションと異なる場合、前記指示情報に基づいて対応する周波数領域で前記ＲＭＳＩのＣＯＲＥＳＥＴを検索することは、
受信されたＳＳＢに対応する帯域幅パーティション以外の帯域幅パーティションで前記ＲＭＳＩのＣＯＲＥＳＥＴを検索し、前記帯域幅パーティションが一定の周波数帯域幅を有するリソース単位を指すことを含む。
【００１１】
一実施例では、前記指示情報がさらに周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であることを示すための第三の指示情報を含む場合、前記指示情報に基づいて対応する周波数領域で前記ＲＭＳＩのＣＯＲＥＳＥＴを検索することは、
受信されたＳＳＢに対応する周波数領域よりも低い周波数領域で前記ＲＭＳＩのＣＯＲＥＳＥＴを検索することを含む。
【００１２】
一実施例では、前記指示情報がさらに周波数領域で前記ＳＳＢの高周波ＲＥと前記ＲＭＳＩのＣＯＲＥＳＥＴの低周波ＲＥとの間の間隔内のＲＥの数が第二の設定値であることを示すための第三の指示情報を含む場合、前記指示情報に基づいて対応する周波数領域で前記ＲＭＳＩのＣＯＲＥＳＥＴを検索することは、
受信されたＳＳＢに対応する周波数領域よりも高い周波数領域で前記ＲＭＳＩのＣＯＲＥＳＥＴを検索することを含む。
【００１３】
本開示の実施例の第三の態様によれば、残りの最小システム情報（ＲＭＳＩ）の共通制御リソースセット（ＣＯＲＥＳＥＴ）の周波数領域情報を示すための装置が提供され、基地局に応用され、前記装置は、
同期信号ブロック（ＳＳＢ）の物理ブロードキャストチャネル（ＰＢＣＨ）に指示情報を追加するように構成される追加モジュールであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられる追加モジュールと、
ユーザ装置（ＵＥ）へ前記追加モジュールによって追加された前記指示情報を運ぶＳＳＢと前記ＲＭＳＩのＣＯＲＥＳＥＴをビーム走査方式で送信するように構成される送信モジュールと、を備える。
【００１４】
一実施例では、前記第一の指示情報が前記ＳＳＢに対応するＲＭＳＩのＣＯＲＥＳＥＴと前記ＳＳＢが周波数分割多重化されることを示す場合、前記指示情報はさらに第二の指示情報を含み、前記第二の指示情報が、前記ＲＭＳＩのＣＯＲＥＳＥＴの位置する帯域幅パーティションを示すことに用いられ、ここで、前記ＲＭＳＩのＣＯＲＥＳＥＴの位置する帯域幅パーティションが前記ＳＳＢの位置する帯域幅パーティションと異なり、前記帯域幅パーティションが一定の周波数帯域幅を有するリソース単位を指す。
【００１５】
一実施例では、前記第一の指示情報が前記ＳＳＢに対応するＲＭＳＩのＣＯＲＥＳＥＴと前記ＳＳＢが周波数分割多重化されることを示す場合、前記指示情報はさらに第三の指示情報を含み、前記第三の指示情報が、周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であり、又は周波数領域で前記ＳＳＢの高周波ＲＥと前記ＲＭＳＩのＣＯＲＥＳＥＴの低周波ＲＥとの間の間隔内のＲＥの数が第二の設定値であることを示すことに用いられる。
【００１６】
一実施例では、前記第一の設定値が０であり、前記第二の設定値が０である。
【００１７】
本開示の実施例の第四の態様によれば、残りの最小システム情報（ＲＭＳＩ）の共通制御リソースセット（ＣＯＲＥＳＥＴ）を検索するための装置が提供され、ユーザ装置（ＵＥ）に応用され、前記装置は、
基地局から送信された、指示情報を含む同期信号ブロック（ＳＳＢ）を受信するように構成される受信モジュールであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられる受信モジュールと、
前記受信モジュールによって受信された前記ＳＳＢから前記指示情報を解析し、前記指示情報に基づいて対応する周波数領域で前記ＲＭＳＩのＣＯＲＥＳＥＴを検索するように構成される解析及び検索モジュールと、を備える。
【００１８】
一実施例では、前記第一の指示情報が前記ＳＳＢに対応するＲＭＳＩのＣＯＲＥＳＥＴと前記ＳＳＢが時間分割多重化されることを示す場合、前記解析及び検索モジュールは、
前記ＳＳＢの位置する中心周波数に基づいて前記ＲＭＳＩのＣＯＲＥＳＥＴを検索するように構成される第一の検索ユニットを含む。
【００１９】
一実施例では、前記指示情報がさらに前記ＲＭＳＩのＣＯＲＥＳＥＴの位置する帯域幅パーティションを示すための第二の指示情報を含み、且つ前記ＲＭＳＩのＣＯＲＥＳＥＴの位置する帯域幅パーティションが前記ＳＳＢの位置する帯域幅パーティションと異なる場合、前記解析及び検索モジュールは、
受信されたＳＳＢに対応する帯域幅パーティション以外の帯域幅パーティションで前記ＲＭＳＩのＣＯＲＥＳＥＴを検索するように構成され、前記帯域幅パーティションが一定の周波数帯域幅を有するリソース単位を指す第二の検索ユニットを含む。
【００２０】
一実施例では、前記指示情報がさらに周波数領域で前記ＳＳＢの低周波リソースエレメント（ＲＥ）と前記ＲＭＳＩのＣＯＲＥＳＥＴの高周波ＲＥとの間の間隔内のＲＥの数が第一の設定値であることを示すための第三の指示情報を含む場合、前記解析及び検索モジュールは、
受信されたＳＳＢに対応する周波数領域よりも低い周波数領域で前記ＲＭＳＩのＣＯＲＥＳＥＴを検索するように構成される第三の検索ユニットを含む。
【００２１】
一実施例では、前記指示情報がさらに、周波数領域で前記ＳＳＢの高周波ＲＥと前記ＲＭＳＩのＣＯＲＥＳＥＴの低周波ＲＥとの間の間隔内のＲＥの数が第二の設定値であることを示すための第三の指示情報を含む場合、前記解析及び検索モジュールは、
受信されたＳＳＢに対応する周波数領域よりも高い周波数領域で前記ＲＭＳＩのＣＯＲＥＳＥＴを検索するように構成される第四の検索ユニットを含む。
【００２２】
本開示の実施例の第五の態様による基地局は、
プロセッサと、
プロセッサで実行可能な命令を記憶するように構成されるメモリを備え、
ここで、前記プロセッサが、
同期信号ブロック（ＳＳＢ）の物理ブロードキャストチャネル（ＰＢＣＨ）に指示情報を追加することであって、前記指示情報が第一の指示情報を含み、前記第一の指示情報が、前記ＳＳＢに対応するＲＭＳＩのＣＯＲＥＳＥＴと前記ＳＳＢが時間分割多重化又は周波数分割多重化されることを示すことに用いられることと、
ユーザ装置（ＵＥ）へ前記指示情報を運ぶＳＳＢと前記ＲＭＳＩのＣＯＲＥＳＥＴをビーム走査方式で送信することと、を実行するように構成される。
【００２３】
本開示の実施例の第六の態様によるユーザ装置は、
プロセッサと、
プロセッサで実行可能な命令を記憶するように構成されるメモリを備え、
ここで、前記プロセッサが、
基地局から送信された、指示情報を含む同期信号ブロック（ＳＳＢ）を受信することであって、前記指示情報が第一の指示情報を含み、前記第一の指示情報が前記ＳＳＢに対応するＲＭＳＩのＣＯＲＥＳＥＴと前記ＳＳＢが時間分割多重化又は周波数分割多重化されることを示すことに用いられることと、
前記ＳＳＢから前記指示情報を解析し、前記指示情報に基づいて対応する周波数領域で前記ＲＭＳＩのＣＯＲＥＳＥＴを検索することと、を実行するように構成される。
【００２４】
本開示の実施例の第七の態様によれば、コンピュータ命令を記憶しているコンピュータ可読記憶媒体が提供され、該コンピュータ命令がプロセッサによって実行される時に、上述した残りの最小システム情報（ＲＭＳＩ）の共通制御リソースセット（ＣＯＲＥＳＥＴ）の周波数領域情報を示すための方法のステップを実現する。
【００２５】
本開示の実施例の第八の態様によれば、コンピュータ命令を記憶しているコンピュータ可読記憶媒体が提供され、該コンピュータ命令がプロセッサによって実行される時に、上述した残りの最小システム情報（ＲＭＳＩ）の共通制御リソースセット（ＣＯＲＥＳＥＴ）を検索するための方法のステップを実現する。
【発明の効果】
【００２６】
本開示の実施例が提供する技術的解決策は以下の有益な効果を含むことができる。
【００２７】
ＳＳＢに該ＳＳＢに対応するＲＭＳＩのＣＯＲＥＳＥＴと該ＳＳＢが時間分割多重化又は周波数分割化されることを示すための第一の指示情報を追加することにより、第一の指示情報がＲＭＳＩのＣＯＲＥＳＥＴの全ての可能な周波数領域位置をカバーし、それによってＲＭＳＩのＣＯＲＥＳＥＴの周波数領域情報をできるだけ少ないビットで示すことが実現される。
【００２８】
基地局から送信された、ＳＳＢに対応するＲＭＳＩのＣＯＲＥＳＥＴとＳＳＢが時間分割多重化又は周波数分割化されることを示すためのＳＳＢを受信することにより、対応する周波数領域でＲＭＳＩのＣＯＲＥＳＥＴを検索することが実現され、且つ実現プロセスにＲＭＳＩのＣＯＲＥＳＥＴの周波数領域情報に占有されたビットが少なく、ＲＭＳＩのＣＯＲＥＳＥＴの検索率が向上する。
【００２９】
以上の一般的な説明及び以下の詳細な説明は例示的及び解釈的なものだけであり、本開示を制限できないと理解すべきである。
【図面の簡単な説明】
【００３０】
【図１】本出願の一つの例示的な実施例に示されるＲＭＳＩのＣＯＲＥＳＥＴの周波数領域情報を示すための方法のフローチャートである。
【図２】本出願の一つの例示的な実施例に示されるＳＳＢに対応するＲＭＳＩのＣＯＲＥＳＥＴと該ＳＳＢが時間分割多重化される場合の周波数領域位置関係を示す図である。
【図３】本出願の一つの例示的な実施例に示されるＳＳＢに対応するＲＭＳＩのＣＯＲＥＳＥＴと該ＳＳＢが周波数分割多重化される場合の周波数領域位置関係を示す図一である。
【図４】本出願の一つの例示的な実施例に示されるＳＳＢに対応するＲＭＳＩのＣＯＲＥＳＥＴと該ＳＳＢが周波数分割多重化される場合の周波数位置関係を示す図二である。
【図５】本出願の一つの例示的な実施例に示されるＳＳＢに対応するＲＭＳＩのＣＯＲＥＳＥＴと該ＳＳＢが周波数分割多重化される場合の周波数位置関係を示す図三である。
【図６】本出願の一つの例示的な実施例に示されるＲＭＳＩのＣＯＲＥＳＥＴを検索するための方法のフローチャートである。
【図７】本出願の一つの例示的な実施例に示されるＲＭＳＩのＣＯＲＥＳＥＴを検索するための方法のシグナリングフローチャートである。
【図８】本出願の一つの例示的な実施例に示されるＲＭＳＩのＣＯＲＥＳＥＴの周波数領域情報を示すための装置のブロック図である。
【図９】本出願の一つの例示的な実施例に示されるＲＭＳＩのＣＯＲＥＳＥＴを検索するための装置のブロック図である。
【図１０Ａ】本出願の一つの例示的な実施例に示される他のＲＭＳＩのＣＯＲＥＳＥＴを検索するための装置のブロック図である。
【図１０Ｂ】本出願の一つの例示的な実施例に示される他のＲＭＳＩのＣＯＲＥＳＥＴを検索するための装置のブロック図である。
【図１０Ｃ】本出願の一つの例示的な実施例に示される他のＲＭＳＩのＣＯＲＥＳＥＴを検索するための装置のブロック図である。
【図１０Ｄ】本出願の一つの例示的な実施例に示される他のＲＭＳＩのＣＯＲＥＳＥＴを検索するための装置のブロック図である。
【図１１】本出願の一つの例示的な実施例に示されるＲＭＳＩのＣＯＲＥＳＥＴの周波数領域情報を示すための装置のブロック図である。
【図１２】本出願の一つの例示的な実施例に示されるＲＭＳＩのＣＯＲＥＳＥＴに適用する検索装置のブロック図である。
【発明を実施するための形態】
【００３１】
ここでの添付図面は明細書に組み込まれて明細書の一部を構成し、本発明に一致する実施例を示し、明細書と共に本発明の原理を解釈することに用いられる。
【００３２】
ここで例示的実施例を詳しく説明し、その例が図面に示される。以下の説明が図面に関する時に、特に明記しない限り、異なる図面における同じ数字は同じ又は類似の要素を表す。以下の例示的実施例に記載される実施形態は本発明に一致する全ての実施形態を表すものではない。逆に、それらは添付の特許請求の範囲に詳細に記載される、本発明のいくつかの態様に一致する装置及び方法の例に過ぎない。
【００３３】
図１は本出願の一つの例示的な実施例に示されるＲＭＳＩのＣＯＲＥＳＥＴの周波数領域情報を示すための方法のフローチャートである。該実施例では基地局側から説明し、図１に示すように、該ＲＭＳＩのＣＯＲＥＳＥＴの周波数領域情報を示すための方法は、以下のステップを含む。
【００３４】
ステップＳ１０１において、ＳＳＢのＰＢＣＨに指示情報を追加し、該指示情報は第一の指示情報を含み、該第一の指示情報は、該ＳＳＢに対応するＲＭＳＩのＣＯＲＥＳＥＴと該ＳＳＢが時間分割多重化又は周波数分割多重化されることを示すために用いられる。
【００３５】
ここで、ＲＭＳＩのＣＯＲＥＳＥＴはＲＭＳＩの制御チャネルが位置する時間周波数リソース位置を指し、ＲＭＳＩのＣＯＲＥＳＥＴはＲＭＳＩ制御チャネルＰＵＣＣＨのＣＯＲＥＳＥＴとも呼ばれてもよい。
【００３６】
該実施例では、図２に示すように、該ＳＳＢに対応するＲＭＳＩのＣＯＲＥＳＥＴと該ＳＳＢが時間分割多重化される場合、両者の中心周波数が同じである。
【００３７】
該実施例では、図３に示すように、該ＳＳＢに対応するＲＭＳＩのＣＯＲＥＳＥＴと該ＳＳＢが周波数分割多重化される場合、該指示情報は、さらにＲＭＳＩのＣＯＲＥＳＥＴの位置する帯域幅パーティションを示すための第二の指示情報を含むことができ、ここで、ＲＭＳＩのＣＯＲＥＳＥＴの位置する帯域幅パーティションがＳＳＢの位置する帯域幅パーティションと異なる。ここで、帯域幅パーティションは一定の周波数帯域幅を有するリソース単位である。
【００３８】
該実施例では、該ＳＳＢに対応するＲＭＳＩのＣＯＲＥＳＥＴとＳＳＢが周波数分割多重化される場合、該指示情報はさらに第三の指示情報を含むことができ、該第三の指示情報が、周波数領域でＳＳＢの低周波リソースエレメント（ＲＥ）とＲＭＳＩのＣＯＲＥＳＥＴの高周波ＲＥとの間の間隔内のＲＥの数が第一の設定値であることを示すことに用いられてもよく、該第一の設定値が対応する帯域幅パーティションサイズ内の任意の値であってもよく、好ましくは０であり、該第一の設定値が０である場合、帯域幅パーティション内の両者の位置関係が図４に示されてもよい。また、該第三の指示情報は、周波数領域でＳＳＢの高周波ＲＥとＲＭＳＩのＣＯＲＥＳＥＴの低周波ＲＥとの間の間隔内のＲＥの数が第二の設定値であることを示すこともでき、該第二の設定値が対応する帯域幅パーティションサイズ内の任意の値であってもよく、好ましくは０であり、該第二の設定値が０である場合、帯域幅パーティション内の両者の位置関係が図５に示されてもよい。
【００３９】
該実施例では、指示情報と帯域幅パーティションを結合してＲＭＳＩのＣＯＲＥＳＥＴの周波数領域情報を表すことにより、ビット（ｂｉｔ）オーバーヘッドの節約の目的を達成する。図２から図５から分かるように、この４つの状況はＲＭＳＩのＣＯＲＥＳＥＴとＳＳＢの全ての周波数領域位置関係をカバーすることができ、即ち両者の間の周波数領域位置関係を２ビット（ｂｉｔ）で表すことができ、使用されるビット（ｂｉｔ）数が少ない。
【００４０】
また、帯域幅パーティション内のＲＭＳＩのＣＯＲＥＳＥＴの周波数領域位置が固定され、即ち図２から図５に示す４つの状況の一つである場合、各ビームのＳＳＢに対して、この２ビット（ｂｉｔ）の内容が同じであるため、ＰＢＣＨチャネル結合を行うことができる。
【００４１】
ステップＳ１０２において、ユーザ装置（ＵＥ）へ指示情報を運ぶＳＳＢとＲＭＳＩのＣＯＲＥＳＥＴをビーム走査方式で送信する。
【００４２】
ここで、ＳＳＢを送信するためのビーム幅とＲＭＳＩのＣＯＲＥＳＥＴを送信するためのビーム幅が同じであってもよいし、異なってもよい。
【００４３】
上記実施例では、ＳＳＢに、該ＳＳＢに対応するＲＭＳＩのＣＯＲＥＳＥＴと該ＳＳＢが時間分割多重化又は周波数分割化されることを示すための第一の指示情報を追加することにより、第一の指示情報がＲＭＳＩのＣＯＲＥＳＥＴの全ての可能な周波数領域位置をカバーし、それによってＲＭＳＩのＣＯＲＥＳＥＴの周波数領域情報をできるだけ少ないビットで示すことが実現される。
【００４４】
図６が本出願の一つの例示的な実施例に示されるＲＭＳＩのＣＯＲＥＳＥＴを検索するための方法のフローチャートである。該実施例ではＵＥ側から説明し、図６に示すように、該ＲＭＳＩのＣＯＲＥＳＥＴを検索するための方法は、以下のステップを含む。
【００４５】
ステップＳ６０１において、基地局から送信された、指示情報を運ぶＳＳＢを受信し、該指示情報が、該ＳＳＢに対応するＲＭＳＩのＣＯＲＥＳＥＴと該ＳＳＢが時間分割多重化又は周波数分割多重化されることを示すための第一の指示情報を含む。
【００４６】
ステップＳ６０２において、該ＳＳＢから指示情報を解析し、該指示情報に基づいて対応する周波数領域でＲＭＳＩのＣＯＲＥＳＥＴを検索する。
【００４７】
該実施例では、第一の指示情報がＳＳＢに対応するＲＭＳＩのＣＯＲＥＳＥＴとＳＳＢが時間分割多重化されることを示す場合、ＵＥはＳＳＢの位置する中心周波数に基づいてＲＭＳＩのＣＯＲＥＳＥＴを検索することができる。
【００４８】
該実施例では、該指示情報がさらにＲＭＳＩのＣＯＲＥＳＥＴの位置する帯域幅パーティションを示すための第二の指示情報を含み、且つＲＭＳＩのＣＯＲＥＳＥＴの位置する帯域幅パーティションがＳＳＢの位置する帯域幅パーティションと異なる場合、ＵＥは、受信されたＳＳＢに対応する帯域幅パーティション以外の帯域幅パーティションでＲＭＳＩのＣＯＲＥＳＥＴを検索することができる。
【００４９】
該実施例では、該指示情報がさらに、周波数領域でＳＳＢの低周波リソースエレメント（ＲＥ）とＲＭＳＩのＣＯＲＥＳＥＴの高周波ＲＥとの間の間隔内のＲＥの数が第一の設定値であることを示すための第三の指示情報を含む場合、受信されたＳＳＢに対応する周波数領域よりも低い周波数領域でＲＭＳＩのＣＯＲＥＳＥＴを検索することができる。ここで、周波数領域が周波数リージョンの略称である。
【００５０】
該実施例では、該指示情報がさらに、周波数領域でＳＳＢの高周波ＲＥとＲＭＳＩのＣＯＲＥＳＥＴの低周波ＲＥとの間の間隔内のＲＥの数が第二の設定値であることを示すための第三の指示情報を含む場合、受信されたＳＳＢに対応する周波数領域よりも高い周波数領域でＲＭＳＩのＣＯＲＥＳＥＴを検索することができる。
【００５１】
該実施例では、ＳＳＢ及びそれに対応するＲＭＳＩのＣＯＲＥＳＥＴの間の異なる周波数領域位置関係に基づき、異なる方式を用いて対応する周波数領域でＲＭＳＩのＣＯＲＥＳＥＴを検索することができる。
【００５２】
上記実施例では、基地局から送信された、ＳＳＢに対応するＲＭＳＩのＣＯＲＥＳＥＴとＳＳＢが時間分割多重化又は周波数分割多重化されることを示すためのＳＳＢを受信することにより、対応する周波数領域でＲＭＳＩのＣＯＲＥＳＥＴを検索することが実現され、且つ実現プロセスにＲＭＳＩのＣＯＲＥＳＥＴの周波数領域情報に占有されたビットが少なく、ＲＭＳＩのＣＯＲＥＳＥＴの検索率が向上する。
【００５３】
図７が本出願の一つの例示的な実施例に示されるＲＭＳＩのＣＯＲＥＳＥＴを検索するための方法のシグナリングフローチャートである。該実施例では基地局とＵＥのインタラクションの観点から説明し、図７に示すように、該方法は以下のステップを含む。
【００５４】
ステップＳ７０１において、基地局はＳＳＢのＰＢＣＨに、該ＳＳＢに対応するＲＭＳＩのＣＯＲＥＳＥＴと該ＳＳＢが時間分割多重化又は周波数分割多重化されることを示すための第一の指示情報を含む指示情報を追加する。
【００５５】
ステップＳ７０２において、基地局は、ＵＥへ上記指示情報を運ぶＳＳＢとＲＭＳＩのＣＯＲＥＳＥＴをビーム走査方式で送信する。
【００５６】
ステップＳ７０３において、ＵＥは基地局から送信された、上記指示情報を運ぶＳＳＢを受信する。
【００５７】
ステップＳ７０４において、ＵＥは、該ＳＳＢから指示情報を解析し、該指示情報に基づいて対応する周波数領域でＲＭＳＩのＣＯＲＥＳＥＴを検索する。
【００５８】
上記実施例では、基地局とＵＥのインタラクションにより、ＲＭＳＩのＣＯＲＥＳＥＴの周波数領域情報をできるだけ少ないビットで示すことが実現され、且つ指示情報に基づいてＲＭＳＩのＣＯＲＥＳＥＴを検索することができる。
【００５９】
図８は一つの例示的な実施例に示されるＲＭＳＩのＣＯＲＥＳＥＴの周波数領域情報を示すための装置のブロック図である。該装置は基地局に位置してもよく、図８に示すように、該装置は追加モジュール８１と送信モジュール８２を備える。
【００６０】
追加モジュール８１は、同期信号ブロック（ＳＳＢ）の物理ブロードキャストチャネル（ＰＢＣＨ）に指示情報を追加するように構成され、指示情報が第一の指示情報を含み、第一の指示情報が、ＳＳＢに対応するＲＭＳＩのＣＯＲＥＳＥＴとＳＳＢが時間分割多重化又は周波数分割多重化されることを示すことに用いられる。
【００６１】
該実施例では、図２に示すように、該ＳＳＢに対応するＲＭＳＩのＣＯＲＥＳＥＴと該ＳＳＢが時間分割多重化される場合、両者の中心周波数が同じである。
【００６２】
該実施例では、図３に示すように、該ＳＳＢに対応するＲＭＳＩのＣＯＲＥＳＥＴと該ＳＳＢが周波数分割多重化される場合、該指示情報は、さらに該ＲＭＳＩのＣＯＲＥＳＥＴの位置する帯域幅パーティションを示すための第二の指示情報を含むことができ、ここで、ＲＭＳＩのＣＯＲＥＳＥＴの位置する帯域幅パーティションがＳＳＢの位置する帯域幅パーティションと異なる。ここで、帯域幅パーティションは一定の周波数帯域幅を有するリソース単位である。
【００６３】
該実施例では、該ＳＳＢに対応するＲＭＳＩのＣＯＲＥＳＥＴと該ＳＳＢが周波数分割多重化される場合、該指示情報はさらに第三の指示情報を含むことができ、該第三の指示情報が、周波数領域でＳＳＢの低周波ＲＥとＲＭＳＩのＣＯＲＥＳＥＴの高周波ＲＥとの間の間隔内のＲＥの数が第一の設定値であることを示すことに用いられてもよく、該第一の設定値が対応する帯域幅パーティションサイズ内の任意の値であってもよく、好ましくは０であり、該第一の設定値が０である場合、帯域幅パーティション内の両者の位置関係が図４に示されてもよい。また、該第三の指示情報は、周波数領域でＳＳＢの高周波ＲＥとＲＭＳＩのＣＯＲＥＳＥＴの低周波ＲＥとの間の間隔内のＲＥの数が第二の設定値であることを示すこともでき、該第二の設定値が対応する帯域幅パーティションサイズ内の任意の値であってもよく、好ましくは０であり、該第二の設定値が０である場合、帯域幅パーティション内の両者の位置関係が図５に示されてもよい。
【００６４】
該実施例では、指示情報と帯域幅パーティションを結合してＲＭＳＩのＣＯＲＥＳＥＴの周波数領域情報を表すことにより、ビット（ｂｉｔ）オーバーヘッドの節約の目的を達成する。図２から図５から分かるように、この４つの状況はＲＭＳＩのＣＯＲＥＳＥＴとＳＳＢの全ての周波数領域位置関係をカバーすることができ、即ち両者の間の周波数領域位置関係を２ビット（ｂｉｔ）で表すことができ、使用されるビット（ｂｉｔ）数が少ない。
【００６５】
また、帯域幅パーティション内のＲＭＳＩのＣＯＲＥＳＥＴの周波数領域位置が固定され、即ち図２から図５に示す４つの状況の一つである場合、各ビームのＳＳＢに対して、この２ｂｉｔの内容が同じであるため、ＰＢＣＨチャネル結合を行うことができる。
【００６６】
送信モジュール８２は、ユーザ装置（ＵＥ）へ指示情報を運ぶＳＳＢとＲＭＳＩのＣＯＲＥＳＥＴをビーム走査方式で送信するように構成される。
【００６７】
ここで、ＳＳＢを送信するためのビーム幅とＲＭＳＩのＣＯＲＥＳＥＴを送信するためのビーム幅が同じであってもよいし、異なってもよい。
【００６８】
上記実施例では、ＳＳＢに、該ＳＳＢに対応するＲＭＳＩのＣＯＲＥＳＥＴと該ＳＳＢが時間分割多重化又は周波数分割多重化されることを示すための第一の指示情報を追加することにより、第一の指示情報がＲＭＳＩのＣＯＲＥＳＥＴの全ての可能な周波数領域位置をカバーし、それによってＲＭＳＩのＣＯＲＥＳＥＴの周波数領域情報をできるだけ少ないビットで示すことが実現される。
【００６９】
図９は一つの例示的な実施例に示されるＲＭＳＩのＣＯＲＥＳＥＴを検索するための装置のブロック図である。該装置はＵＥに位置してもよく、図９に示すように、該装置は受信モジュール９１と解析及び検索モジュール９２を備える。
【００７０】
受信モジュール９１は、基地局から送信された、指示情報を含む同期信号ブロック（ＳＳＢ）を受信するように構成され、指示情報が第一の指示情報を含み、第一の指示情報が、ＳＳＢに対応するＲＭＳＩのＣＯＲＥＳＥＴとＳＳＢが時間分割多重化又は周波数分割多重化されることを示すことに用いられる。
【００７１】
解析及び検索モジュール９２は、受信モジュール９１によって受信されたＳＳＢから指示情報を解析し、指示情報に基づいて対応する周波数領域でＲＭＳＩのＣＯＲＥＳＥＴを検索するように構成される。
【００７２】
上記実施例では、基地局から送信された、ＳＳＢに対応するＲＭＳＩのＣＯＲＥＳＥＴとＳＳＢが時間分割多重化又は周波数分割多重化されることを示すためのＳＳＢを受信することにより、対応する周波数領域でＲＭＳＩのＣＯＲＥＳＥＴを検索することが実現され、且つ実現プロセスにＲＭＳＩのＣＯＲＥＳＥＴの周波数領域情報に占有されたビットが少なく、ＲＭＳＩのＣＯＲＥＳＥＴの検索率が向上する。
【００７３】
図１０Ａは一つの例示的な実施例に示される他のＲＭＳＩのＣＯＲＥＳＥＴを検索するための装置のブロック図である。図１０Ａに示すように、上記図９に示す実施例に基づき、第一の指示情報が、ＳＳＢに対応するＲＭＳＩのＣＯＲＥＳＥＴとＳＳＢが時間分割多重化されることを示す場合、解析及び検索モジュール９２は第一の検索ユニット９２１を含むことができる。
【００７４】
第一の検索ユニット９２１は、ＳＳＢの位置する中心周波数に基づいてＲＭＳＩのＣＯＲＥＳＥＴを検索するように構成される。
【００７５】
該実施例では、第一の指示情報が、ＳＳＢに対応するＲＭＳＩのＣＯＲＥＳＥＴとＳＳＢが時間分割多重化されることを示す場合、ＵＥはＳＳＢの位置する中心周波数に基づいてＲＭＳＩのＣＯＲＥＳＥＴを検索することができる。
【００７６】
上記実施例では、第一の指示情報が、ＳＳＢに対応するＲＭＳＩのＣＯＲＥＳＥＴとＳＳＢが時間分割多重化されることを示す場合、ＳＳＢの位置する中心周波数に基づいてＲＭＳＩのＣＯＲＥＳＥＴを検索し、実現方式が簡単である。
【００７７】
図１０Ｂは一つの例示的な実施例に示される他のＲＭＳＩのＣＯＲＥＳＥＴを検索するための装置のブロック図である。図１０Ｂに示すように、上記図９に示す実施例に基づき、該指示情報がさらにＲＭＳＩのＣＯＲＥＳＥＴの位置する帯域幅パーティションを示すための第二の指示情報を含み、且つＲＭＳＩのＣＯＲＥＳＥＴの位置する帯域幅パーティションがＳＢＢの位置する帯域幅パーティションと異なる場合、解析及び検索モジュール９２は第二の検索モジュール９２２を含むことができる。
【００７８】
第二の検索ユニット９２２は、受信されたＳＳＢに対応する帯域幅パーティション以外の帯域幅パーティションでＲＭＳＩのＣＯＲＥＳＥＴを検索するように構成され、帯域幅パーティションが一定の周波数帯域幅を有するリソース単位を指す。
【００７９】
該実施例では、該指示情報がさらにＲＭＳＩのＣＯＲＥＳＥＴの位置する帯域幅パーティションを示すための第二の指示情報を含み、且つＲＭＳＩのＣＯＲＥＳＥＴの位置する帯域幅パーティションがＳＳＢの位置する帯域幅パーティションと異なる場合、ＵＥは、受信されたＳＳＢに対応する帯域幅パーティション以外の帯域幅パーティションでＲＭＳＩのＣＯＲＥＳＥＴを検索することができる。
【００８０】
上記実施例では、ＲＭＳＩのＣＯＲＥＳＥＴの位置する帯域幅パーティションがＳＳＢの位置する帯域幅パーティションと異なる場合、受信されたＳＳＢに対応する帯域幅パーティション以外の帯域幅パーティションでＲＭＳＩのＣＯＲＥＳＥＴを検索し、実施方式が簡単である。
【００８１】
図１０Ｃは一つの例示的な実施例に示される他のＲＭＳＩのＣＯＲＥＳＥＴを検索するための装置のブロック図である。図１０Ｃに示すように、上記図９に示す実施例に基づき、指示情報がさらに、周波数領域でＳＳＢの低周波ＲＥとＲＭＳＩのＣＯＲＥＳＥＴの高周波ＲＥとの間の間隔内のＲＥの数が第一の設定値であることを示すための第三の指示情報を含む場合、解析及び検索モジュール９２は第三の検索ユニット９２３を含むことができる。
【００８２】
第三の検索ユニット９２３は、受信されたＳＳＢに対応する周波数領域よりも低い周波数領域でＲＭＳＩのＣＯＲＥＳＥＴを検索するように構成される。
【００８３】
上記実施例では、周波数領域でＳＳＢの低周波ＲＥとＲＭＳＩのＣＯＲＥＳＥＴの高周波ＲＥとの間の間隔内のＲＥの数が第一の設定値である場合、受信されたＳＳＢに対応する周波数領域よりも低い周波数領域でＲＭＳＩのＣＯＲＥＳＥＴを検索し、実現方式が簡単である。
【００８４】
図１０Ｄは一つの例示的な実施例に示される他のＲＭＳＩのＣＯＲＥＳＥＴを検索するための装置のブロック図である。図１０Ｄに示すように、上記図９に示す実施例に基づき、指示情報がさらに、周波数領域でＳＳＢの高周波ＲＥとＲＭＳＩのＣＯＲＥＳＥＴの低周波ＲＥとの間の間隔内のＲＥの数が第二の設定値であることを示すための第三の指示情報を含む場合、解析及び検索モジュール９２は第四の検索ユニット９２４を含むことができる。
【００８５】
第四の検索ユニット９２４は、受信されたＳＳＢに対応する周波数領域よりも高い周波数領域でＲＭＳＩのＣＯＲＥＳＥＴを検索するように構成される。
【００８６】
上記実施例では、周波数領域でＳＳＢの高周波ＲＥとＲＭＳＩのＣＯＲＥＳＥＴの低周波ＲＥとの間の間隔内のＲＥの数が第二の設定値である場合、受信されたＳＳＢに対応する周波数領域よりも高い周波数領域でＲＭＳＩのＣＯＲＥＳＥＴを検索し、実現方式が簡単である。
【００８７】
図１１は本出願の一つの例示的な実施例に示されるＲＭＳＩのＣＯＲＥＳＥＴに適用する周波数領域情報指示装置のブロック図である。装置１１００は基地局として提供されてもよい。図１１を参照すると、装置１１００は処理コンポーネント１１２２、無線送信／受信コンポーネント１１２４、アンテナコンポーネント１１２６、及び無線インタフェース固有の信号処理部を備え、処理コンポーネント１１２２がさらに一つ又は複数のプロセッサを含むことができる。
【００８８】
処理コンポーネント１１２２のうちの一つのプロセッサは、
同期信号ブロック（ＳＳＢ）の物理ブロードキャストチャネル（ＰＢＣＨ）に指示情報を追加し、指示情報が第一の指示情報を含み、第一の指示情報が、ＳＳＢに対応するＲＭＳＩのＣＯＲＥＳＥＴとＳＳＢが時間分割多重化又は周波数分割多重化されることを示すことに用いられ、
ユーザ装置（ＵＥ）へ指示情報を運ぶＳＳＢとＲＭＳＩ  ＣＯＲＥＳＥＴをビーム走査方式で送信するように構成されてもよい。
【００８９】
例示的実施例では、さらに命令を含む非一時的コンピュータ可読記憶媒体が提供され、上述したＲＭＳＩの共通制御リソースセット（ＣＯＲＥＳＥＴ）の周波数領域情報を示すための方法を完了させるために、上記命令が装置１１００の処理コンポーネント１１２２によって実行されてもよい。例えば、非一時的コンピュータ可読記憶媒体はＲＯＭ、ランダムアクセスメモリ（ＲＡＭ）、ＣＤ−ＲＯＭ、磁気テープ、フロッピーディスクと光データ記憶装置などであってもよい。
【００９０】
図１２は本出願の一つの例示的な実施例に示されるＲＭＳＩのＣＯＲＥＳＥＴに適用する検索装置のブロック図である。例えば、装置１２００は携帯電話、コンピュータ、デジタル放送端末、メッセージ送受信装置、ゲーム機、タブレットデバイス、医療機器、フィットネス機器、パーソナルデジタルアシスタント等であってもよい。
【００９１】
図１２を参照すると、装置１２００は処理コンポーネント１２０２、メモリ１２０４、電源コンポーネント１２０６、マルチメディアコンポーネント１２０８、オーディオコンポーネント１２１０、入力／出力（Ｉ／Ｏ）インタフェース１２１２、センサーコンポーネント１２１４、及び通信コンポーネント１２１６のうちの一つ又は複数を備えることができる。
【００９２】
処理コンポーネント１２０２は一般的に装置１２００の全体的な動作、例えば表示、電話コール、データ通信、カメラ動作及び記録動作と関連する動作を制御する。処理コンポーネント１２０２は一つ又は複数のプロセッサ１２２０を含んで命令を実行して、上記方法の全て又は一部のステップを完了することができる。また、処理コンポーネント１２０２は一つ又は複数のモジュールを含んで他のコンポーネントとのインタラクションを容易にすることができる。例えば、処理コンポーネント１２０２は、マルチメディアモジュールを含んで処理コンポーネント１２０２とのインタラクションを容易にすることができる。
【００９３】
処理コンポーネント１２０２のうちの一つのプロセッサ１２０２は、
基地局から送信された、指示情報を含む同期信号ブロック（ＳＳＢ）を受信し、指示情報が第一の指示情報を含み、第一の指示情報が、ＳＳＢに対応するＲＭＳＩのＣＯＲＥＳＥＴとＳＳＢが時間分割多重化又は周波数分割多重化されることを示すことに用いられ、
ＳＳＢから指示情報を解析し、指示情報に基づいて対応する周波数領域でＲＭＳＩのＣＯＲＥＳＥＴを検索するように構成されてもよい。
【００９４】
メモリ１２０４は様々なタイプのデータを記憶して装置１２００での動作をサポートするように構成される。これらのデータの例は装置１２００で動作するいずれかのアプリケーションプログラム又は方法のための命令、連絡先データ、電話帳データ、メッセージ、イメージ、ビデオなどを含む。メモリ１２０４は、スタティックランダムアクセスメモリ（ＳＲＡＭ）、電気的消去可能プログラマブル読み取り専用メモリ（ＥＥＰＲＯＭ）、消去可能プログラマブル読み取り専用メモリ（ＥＰＲＯＭ）、プログラマブル読み取り専用メモリ（ＰＲＯＭ）、読み取り専用メモリ（ＲＯＭ）、磁気メモリ、フラッシュメモリ、磁気ディスク又は光ディスクなどの任意のタイプの揮発性又は不揮発性記憶装置又はそれらの組み合わせにより実現されてもよい。
【００９５】
電源コンポーネント１２０６は装置１２００の様々なコンポーネントに電力を供給する。電源コンポーネント１２０６は電源管理システム、一つ又は複数の電源、及び装置１２００に電力を生成、管理及び割り当てることに関連する他のコンポーネントを含むことができる。
【００９６】
マルチメディアコンポーネント１２０８は装置１２００とユーザの間の一つの出力インタフェースを提供するスクリーンを含む。いくつかの実施例において、スクリーンは液晶ディスプレイ（ＬＣＤ）とタッチパネル（ＴＰ）を含むことができる。スクリーンがタッチパネルを含む場合、スクリーンはタッチスクリーンとして実現されて、ユーザからの入力信号を受信することができる。タッチパネルは一つ又は複数のタッチセンサーを含んでタッチ、スライドとタッチパネル上のジェスチャをセンシングする。タッチセンサーはタッチ又はスライド動作の境界をセンシングするだけでなく、タッチ又はスライド動作に関連する持続時間及び圧力を検出することができる。いくつかの実施例において、マルチメディアコンポーネント１２０８は一つのフロントカメラ及び／又はリアカメラを含む。装置１２００が動作モード、例えば撮影モード又はビデオモードにある場合、フロントカメラ及び／又はリアカメラは外部のマルチメディアデータを受信することができる。各フロントカメラ及びリアカメラは一つの固定された光学レンズシステムであってもよく又は焦点距離及び光学ズーム能力を有する。
【００９７】
オーディオコンポーネント１２１０はオーディオ信号を出力及び／又は入力するよう構成される。例えば、オーディオコンポーネント１２１０は一つのマイクロホン（ＭＩＣ）を含み、装置１２００が動作モード、例えばコールモード、記録モードと音声識別モードにある場合、マイクロホンは外部の音声信号を受信するように構成される。受信されたオーディオ信号はさらにメモリ１２０４に記憶され、又は通信コンポーネント１２１６を介して送信されることができる。いくつかの実施例において、オーディオコンポーネント１２１０はさらにオーディオ信号を出力するためのスピーカを含む。
【００９８】
Ｉ／Ｏインタフェース１２１２は処理コンポーネント１２０２と周辺インタフェースモジュールの間にインタフェースを提供し、上記周辺インタフェースモジュールがキーボード、クリックホイール、ボタンなどであってもよい。これらのボタンはホームページボタン、音量ボタン、スタートボタン及びロックボタンを含むことができるがこれらに限定されない。
【００９９】
センサーコンポーネント１２１４は装置１２００に様々な態様の状態評価を提供するための一つ又は複数のセンサーを含む。例えば、センサーコンポーネント１２１４は装置１２００のオン／オフ状態、コンポーネントの相対位置を検出することができ、例えばコンポーネントが装置１２００のディスプレイ及びキーパッドであり、センサーコンポーネント１２１４はさらに装置１２００又は装置１２００の一つのコンポーネントの位置変化、ユーザと装置１２００の接触の有無、装置１２００の方位又は加速／減速と装置１２００の温度変化を検出することができる。センサーコンポーネント１２１４はいかなる物理的接触がない場合においても付近の物体の存在を検出するように構成される近接センサーを含むことができる。センサーコンポーネント１２１４は更に、イメージング応用において使用される、ＣＭＯＳ又はＣＣＤイメージセンサーのような光センサーを含むことができる。いくつかの実施例において、該センサーコンポーネント１２１４は更に、加速度センサー、ジャイロセンサー、磁気センサー、圧力センサー又は温度センサーを含むことができる。
【０１００】
通信コンポーネント１２１６は装置１２００と他の装置の間の有線又は無線方式の通信を容易にするように構成される。装置１２００は例えばＷｉＦｉ（登録商標）、２Ｇ若しくは３Ｇ、又はそれらの組み合わせなどの、通信規格に準拠した無線ネットワークに接続することができる。一つの例示的な実施例において、通信ユニット１２１６は放送チャンネルを経由して、外部の放送管理システムからの放送信号又は、放送関連情報を受信する。一つの例示的な実施例において、通信部材１２１６は更に近距離通信を促進するための近距離無線通信（ＮＦＣ）モジュールを含んでいる。例えば、ＮＦＣモジュールは、無線周波数識別（ＲＦＩＤ）技術、赤外線データ協会（ＩｒＤＡ）技術、超広帯域（ＵＷＢ）技術、ブルートゥース（登録商標）（ＢＴ）技術及びその他の技術に基づいて実現されてもよい。
【０１０１】
例示的な実施例において、装置１２００は一つ又は複数の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、コントローラ、マイクロコントローラ、マイクロプロセッサ又はその他の電子素子により実現されてもよく、上述したＲＭＳＩのＣＯＲＥＳＥＴを検索するための方法を実行することに用いられる。
【０１０２】
例示的な実施例において、例えば命令を含むメモリ１２０４のような、命令を含む非臨時的なコンピュータ可読記憶媒体がさらに提供され、上記命令が装置１２００のプロセッサ１２２０によって実行されることで上述した方法を完了することができる。例えば、非臨時的コンピュータ可読記憶媒体はＲＯＭ、ランダムアクセスメモリ（ＲＡＭ）、ＣＤ−ＲＯＭ、磁気テープ、フロッピーディスク及び光データ記憶装置などであってもよい。
【０１０３】
装置の実施例については、それが基本的に方法の実施例に対応するため、関連するところが方法の実施例の部分の説明を参照すればよい。上述した装置の実施例は例示的なものだけでなく、ここで分離部材として説明されるユニットは物理的に分離するものであってもよく又は物理的に分離するものでなくてもよく、ユニットとして表示される部材は物理ユニットであってもよく又は物理ユニットでなくてもよく、即ち一つの箇所に位置してもよく、又は複数のネットワークユニットに分布してもよい。実際のニーズに応じてそのうちの一部又は全てのモジュールを選択して本実施例の解決策の目的を達成することができる。当業者は創造的な労力を要せずに理解して実施することができる。
【０１０４】
説明すべきものとして、本明細書において、第一及び第二などのような関係用語は一つのエンティティ又は操作と他のエンティティ又は操作を区別するためのものだけであり、必ずしもこれらのエンティティ又は操作の間にいずれのこの実際の関係又は順番が存在することを要求又は示唆するものではない。用語「含む」、「備える」又はそれらの任意の他の変形は、非排他的な包含を網羅することが意図され、これにより、一連の要素を含むプロセス、方法、物品又は装置がそれらの要素を含むだけでなく、明確に示されない他の要素を含み、又は、更に、このようなプロセス、方法、物品又は装置に固有の要素を含む。更なる制限がない場合、語句「一つ．．．．．．を含む」によって限定された要素は、要素を含むプロセス、方法、物品又は装置に他の同じ要素がさらに存在することを排除するものではない。
【０１０５】
当業者は明細書を考慮及びここで開示された開示を実践した後、本開示の他の実施手段を容易に想到する。本出願は本開示のいずれかの変形、用途又は適応変化を含むことを意図しており、これらの変形、用途又は適応変化が本開示の一般的な原理に従い且つ本開示に公開されない本技術分野における公知常識又は一般的な技術的手段を含む。本明細書及び実施例は例示的なものとして見なされるが、本発明の真の範囲と精神は以下の特許請求の範囲によって指摘される。
【０１０６】
理解すべきものとして、本開示の実施例は、以上に説明され且つ図面に示された正確な構造に限定されず、その範囲から逸脱することなく様々な変更及び変形を行うことができる。本開示の実施例の範囲は、添付の特許請求の範囲のみによって限定される。
【図１】
2021501545.tif 000003
【図２】
2021501545.tif 000004
【図３】
2021501545.tif 000005
【図４】
2021501545.tif 000006
【図５】
2021501545.tif 000007
【図６】
2021501545.tif 000008
【図７】
2021501545.tif 000009
【図８】
2021501545.tif 000010
【図９】
2021501545.tif 000011
【図１０Ａ】
2021501545.tif 000012
【図１０Ｂ】
2021501545.tif 000013
【図１０Ｃ】
2021501545.tif 000014
【図１０Ｄ】
2021501545.tif 000015
【図１１】
2021501545.tif 000016
【図１２】
2021501545.tif 000017
【国際調査報告】
2021501545.tif 000018
2021501545.tif 000019
2021501545.tif 000020
2021501545.tif 000021
2021501545.tif 000022